(57)【要約】【課題】コストアップ及び作業工数の増加を抑えつつ、光源に関わる機能を追加可能な照明器具を提供する。【解決手段】照明器具Ａは、外部からの電源線３が接続される端子台２５を有し天井材１００に取り付けられる器具本体１と、ＬＥＤ２２２及びＬＥＤ２２２に対して点灯電力を供給する電源装置２４を有し器具本体１に対して着脱自在に取り付けられる光源ユニット２と、端子台２５と電源装置２４の間を接続する電線の途中に接続されることでＬＥＤ２２２への給電を入／切するプルスイッチ２６とを備える。そして、上記電線の途中にプルスイッチ２６を接続することで、ＬＥＤ２２２への給電を入／切する機能を追加することができ、しかも上記電線の途中にプルスイッチ２６を接続するだけでいいので、コストアップ及び作業工数の増加を抑えることができる。【選択図】図１
2014170682.tif 000002
【特許請求の範囲】
【請求項１】
外部からの電源線が接続される端子台を有し造営材に取り付けられる器具本体と、
光源及び前記光源に対して点灯電力を供給する電源装置を有し前記器具本体に対して着脱自在に取り付けられる光源ユニットと、
前記端子台と前記電源装置の間を電気的に接続する電線と、
前記電線の途中において電気的に接続されることで前記光源に関わる機能を付加する機能部品とを備えたことを特徴とする照明器具。
【請求項２】
前記電線は、前記端子台に接続される第１電線と、前記電源装置に接続される第２電線からなり、前記第１電線の先端に設けられた第１コネクタと前記第２電線の先端に設けられた第２コネクタとを接続することで、前記端子台と前記電源装置の間が電気的に接続され、
前記機能部品は、前記第１コネクタが着脱自在に接続される第１接続部と、前記第２コネクタが着脱自在に接続される第２接続部とを有することを特徴とする請求項１記載の照明器具。
【請求項３】
前記機能部品は、前記器具本体又は前記光源ユニットの何れか一方に取り付けられることを特徴とする請求項１又は２記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、吊ボルトを用いて天井に直付けされる器具本体と、器具本体に対して着脱自在に取り付けられる光源部とを備える。また、この照明器具では、天井裏に先行配線された電源線が接続される端子台と、光源部に対して点灯電力を供給する電源装置とが器具本体に取り付けられ、さらに端子台と電源装置の間が電線により接続されている。
【先行技術文献】
【特許文献】
【０００３】
【特許文献１】特開２０１２−３９９３号公報
【発明の概要】
【発明が解決しようとする課題】
【０００４】
上述の特許文献１に示した照明器具は、設置した後に機能を追加することができないため、機能を追加する要望があった場合にはその機能を付加した照明器具を新たに設置することになり、その結果、コストアップになるとともに作業工数が増加するという問題があった。
【０００５】
本発明は上記問題点に鑑みて為されたものであり、その目的とするところは、コストアップ及び作業工数の増加を抑えつつ、光源に関わる機能を追加可能な照明器具を提供することにある。
【課題を解決するための手段】
【０００６】
本発明の照明器具は、外部からの電源線が接続される端子台を有し造営材に取り付けられる器具本体と、光源及び光源に対して点灯電力を供給する電源装置を有し器具本体に対して着脱自在に取り付けられる光源ユニットと、端子台と電源装置の間を電気的に接続する電線と、電線の途中において電気的に接続されることで光源に関わる機能を付加する機能部品とを備えたことを特徴とする。
【０００７】
この照明器具において、電線は、端子台に接続される第１電線と、電源装置に接続される第２電線からなり、第１電線の先端に設けられた第１コネクタと第２電線の先端に設けられた第２コネクタとを接続することで、端子台と電源装置の間が電気的に接続され、機能部品は、第１コネクタが着脱自在に接続される第１接続部と、第２コネクタが着脱自在に接続される第２接続部とを有するのが好ましい。
【０００８】
また、この照明器具において、機能部品は、器具本体又は光源ユニットの何れか一方に取り付けられるのも好ましい。
【発明の効果】
【０００９】
本発明の構成によれば、端子台と電源装置の間を電気的に接続する電線の途中に機能部品を接続することで光源に関わる機能を追加することができ、しかも上記電線の途中に機能部品を接続するだけでいいので、コストアップを抑えるとともに作業工数の増加を抑えることができるという効果がある。
【図面の簡単な説明】
【００１０】
【図１】本実施形態の照明器具の要部を示し、（ａ）は斜視図、（ｂ）は断面図である。
【図２】（ａ）、（ｂ）は同上の概略ブロック図である。
【図３】同上の分解斜視図である。
【図４】同上の外観斜視図である。
【図５】同上の断面図である。
【発明を実施するための形態】
【００１１】
以下に、照明器具の実施形態について図１〜図５を参照しながら説明する。なお、以下の説明では特に断りがない限り、図５に示す向きにおいて上下左右の方向を規定し、さらに図５中の紙面に垂直な方向を前後方向（手前側が前側）と規定して説明を行う。
【００１２】
本実施形態の照明器具Ａは、図５に示すように天井直付け型の照明器具であり、吊ボルト２００を用いて天井材１００（造営材）に取り付けられる器具本体１と、器具本体１に対して着脱自在に取り付けられる光源ユニット２とを備える。
【００１３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の凹部１１が全長に亘って設けられている（図３参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図５参照）。
【００１４】
また、凹部１１の底面部１１１には、電線を通すための孔１１１ａが前後方向（長手方向）に沿って複数（図３では５個）設けられており、前後方向における両端寄りの位置に吊ボルト２００を通すための孔１１１ｂがそれぞれ２個ずつ設けられている。さらに、凹部１１の底面部１１１には端子台２５が取り付けられ、また一方（図１（ａ）中の左側）の傾斜面１２の裏側（図５中の上側）の空間ａ１にはプルスイッチ２６が配置されている。また、一方（図１（ａ）中の左側）の傾斜面１２には、プルスイッチ２６から導出する引き紐２６１を通すための孔１２１が設けられている。
【００１５】
光源ユニット２は、図３に示すように、複数（図３では２個）の基板２２と、基板２２が取り付けられる取付部材２１と、基板２２を覆うようにして取付部材２１に取り付けられるカバー部材２３と、基板２２に所定の点灯電力を供給する電源装置２４とを具備する。
【００１６】
基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図３中の右側）の基板２２の前端部（図３中の右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。
【００１７】
また、各基板２２において隣接する基板２２と対向する端部には、電源供給用のコネクタ２２４がそれぞれ実装されている。そして、両基板２２，２２のコネクタ２２４，２２４を接続することで、一方（図３中の右側）の基板２２から他方（図３中の左側）の基板２２に点灯電力を供給することができる。
【００１８】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図５に示すように、互いに離れる向き（外向き）に傾斜する傾斜部２１２ａがそれぞれ全長に亘って設けられている。
【００１９】
底面部２１１の前端部（図３中の右端部）には、基板２２と電源装置２４とを電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。なお、上述した基板２２は、例えば取付部材２１の底面部２１１の一部を切り起こすことで形成された係止爪（図示せず）により取付部材２１に固定される。
【００２０】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図５参照）。
【００２１】
また、カバー部材２３の左右方向における両端部には、図５に示すように、光源ユニット２を器具本体１に取り付けた状態で、上下方向において器具本体１の凹部１１の開口端縁と重なる延出部２３２がそれぞれ設けられている。さらに、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２２】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。また、電源基板２４１は、図２（ａ）に示すように、３本の電線２４４を介して電気的に接続された雄型コネクタ２４３を有している。
【００２３】
収納ケース２４２は、図３に示すように、一面（取付部材２１の底面部２１１との対向面）が開口し且つ前後方向に長い矩形箱状に形成されており、開口側が取付部材２１の底面部２１１と対向するようにして、例えばねじなどを用いて取付部材２１の側面部２１２に取り付けられる。
【００２４】
ここで、図１（ａ）は端子台２５及びプルスイッチ２６を器具本体１に取り付けた状態の一部省略せる斜視図、図１（ｂ）はその断面図である。端子台２５は、図１（ａ）及び図２（ａ）に示すように、電源装置２４の雄型コネクタ２４３に着脱自在に接続される雌型コネクタ２５１を有し、雌型コネクタ２５１には３本の電線２５２が接続されている。そのうち２本の電線２５２の端部は端子台２５の出力端に接続され、残りの１本の電線２５２の端部はプルスイッチ２６に内蔵された接点２６１の一端に接続されている。また、接点２６１の他端には電線２５３が接続され、電線２５３の他端は端子台２５の出力端に接続されている。
【００２５】
プルスイッチ２６は、図１（ａ）及び図１（ｂ）に示すように引き紐２６２を有し、引き紐２６２を引くことで接点２６１が閉じたり、開いたりする。この引き紐２６２は、器具本体１の一方（図１（ａ）中の左側）の傾斜面１２に設けられた孔１２１を通して吊り下げられた状態にある（図１（ｂ）参照）。
【００２６】
そして、引き紐２６２を引いて接点２６１が閉じると、電源線３により供給される交流電力が雌型コネクタ２５１及び雄型コネクタ２４３を介して電源装置２４に入力され、電源装置２４は生成した直流電力を基板２２に供給し、この供給電力によってＬＥＤ２２２が点灯する。また、引き紐２６２を引いて接点２６１が開くと、上記交流電力が電源装置２４に入力されなくなり、電源装置２４から基板２２への給電が停止され、ＬＥＤ２２２が消灯する。つまり、本実施形態の照明器具Ａでは、プルスイッチ２６によってＬＥＤ２２２への給電を入／切する機能（光源に関わる機能）を追加することができ、プルスイッチ２６により機能部品が構成されている。
【００２７】
ここに本実施形態では、端子台２５に接続される電線２５２，２５３により第１電線が構成され、第１電線の先端に設けられた雌型コネクタ２５１により第１コネクタが構成されている。また本実施形態では、電源装置２４に接続される電線２４４により第２電線が接続され、第２電線の先端に設けられた雄型コネクタ２４３により第２コネクタが構成されている。
【００２８】
次に、光源ユニット２の組立手順について説明する。まず最初に、作業者は、電源装置２４を取付部材２１の底面部２１１の上面側に取り付け、さらに上記係止爪により基板２２を取付部材２１の底面部２１１に固定する。その後、作業者は、基板２２のコネクタ２２３から導出する電線を取付部材２１の底面部２１１に設けた孔２１１ａに通し、その端部を電源装置２４に接続する。
【００２９】
そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。
【００３０】
続けて、照明器具Ａの施工手順について説明する。なお、以下の説明では、端子台２５及びプルスイッチ２６が予め器具本体１に取り付けられているものとして説明する。まず最初に、作業者は、天井裏に先行配線された電源線３（図１（ａ）参照）を器具本体１の孔１１１ａに通し、さらに室内側に露出する吊ボルト２００を孔１１１ｂに通した後、吊ボルト２００にナット３００をねじ込んで器具本体１を天井材１００に固定する。
【００３１】
その後、作業者は、電源線３の端部を端子台２５に接続し、さらに端子台２５の雌型コネクタ２５１と電源装置２４の雄型コネクタ２４３を接続する。そして最後に、作業者は、電源装置２４が器具本体１の凹部１１内に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される（図４及び図５参照）。
【００３２】
この照明器具Ａでは、端子台２５と電源装置２４の間にプルスイッチ２６の接点２６１を介在させており、引き紐２６２を引いて接点２６１が閉じると電源装置２４への給電が開始され、電源装置２４により生成された直流電力によりＬＥＤ２２２が点灯する。再度引き紐２６２を引いて接点２６１が開くと電源装置２４への給電が停止され、ＬＥＤ２２２が消灯する。つまり、機能部品であるプルスイッチ２６を端子台２５と電源装置２４の間に接続することで、ＬＥＤ２２２の点灯／消灯を切り替えることができる。
【００３３】
本実施形態の照明器具Ａによれば、端子台２５と電源装置２４の間にプルスイッチ２６を接続することで、光源ユニット２への給電を入／切する機能を追加することができ、しかも端子台２５と電源装置２４の間にプルスイッチ２６を接続するだけでいいので、コストアップ及び作業工数の増加を抑えることができる。また、本実施形態の照明器具Ａのように、機能部品であるプルスイッチ２６を器具本体１に取り付けた場合には、器具本体１に取り付けられた端子台２５との間を接続する電線２５２，２５３の長さを短くすることができる。
【００３４】
なお本実施形態では、プルスイッチ２６を機能部品としたが、例えば人感センサや明るさセンサなどのセンサ類であってもいいし、非常時に点灯する非常用照明装置や調光信号を出力する調光装置などであってもよい。
【００３５】
図２（ｂ）はセンサ２７を機能部品とした場合の概略ブロック図である。この場合、センサ２７に接続された雌型コネクタ２７１を接続ケーブル２９の雄型コネクタ２９１に接続し且つ電源装置２４に接続された雄型コネクタ２４３を接続ケーブル２９の雌型コネクタ２９２に接続する。また、センサ２７に接続された雄型コネクタ２７２を接続ケーブル２８の雌型コネクタ２８２に接続し且つ端子台２５に接続された雌型コネクタ２５１を接続ケーブル２８の雄型コネクタ２８１に接続する。
【００３６】
上述のように接続することで、センサ２７の検出結果に応じて電源装置２４への給電をオン／オフすることができる。また、上述のようにコネクタ同士を接続するだけでいいので、センサ２７（機能部品）の追加又は電源の直結を容易に切り替えることができる。
【００３７】
さらに、本実施形態では、機能部品であるプルスイッチ２６を器具本体１に取り付けているが、光源ユニット２にプルスイッチ２６を取り付けてもよく、本実施形態に限定されない。
【００３８】
また、本実施形態では、端子台２５とプルスイッチ２６の間を電線２５３で接続するとともに、雌型コネクタ２５１とプルスイッチ２６の間を電線２５２で接続したが、例えば端子台２５の雌型コネクタ２５１に接続される雄型コネクタ（第１接続部）と、電源装置２４の雄型コネクタ２４３に接続される雌型コネクタ（第２接続部）をプルスイッチ２６に設け、端子台２５とプルスイッチ２６の間及び電源装置２４とプルスイッチ２６の間をそれぞれコネクタで接続してもよい。
【００３９】
この場合、プルスイッチ２６を追加する際に、端子台２５の雌型コネクタ２５１と電源装置２４の雄型コネクタ２４３の接続を解除し、端子台２５の雌型コネクタ２５１をプルスイッチ２６の雄型コネクタに接続するとともに、電源装置２４の雄型コネクタ２４３をプルスイッチ２６の雌型コネクタに接続するだけでよく、容易に機能を追加することができる。
【符号の説明】
【００４０】
１  器具本体
２  光源ユニット
３  電源線
２４  電源装置
２５  端子台
２６  プルスイッチ（機能部品）
１００  天井材（造営材）
２２２  ＬＥＤ（光源）
Ａ  照明器具
【図１】
2014170682.tif 000003
【図２】
2014170682.tif 000004
【図３】
2014170682.tif 000005
【図４】
2014170682.tif 000006
【図５】
2014170682.tif 000007